(57)【要約】【課題】本発明は、このような事情に鑑みてなされたものであり、その目的は、簡単に作成することができ、流路を確保すると共に高い強度の側溝用蓋を提供することにある。【解決手段】排水流路と、該排水流路の上側に開口した開口部３と、を備え、該開口部３は排水流路の幅よりも幅狭であって、排水流路に連通する第１開口部４と、該第１開口部４に上側で連通して第１開口部４より幅広な第２開口部５と、から構成され、該第２開口部５と前記第１開口部４との境界に支持段部６を形成したコンクリート製側溝の支持段部６上に載置するコンクリート製の側溝用蓋１１であって、第１開口部４に嵌合可能な蓋下部１２と、該蓋下部１２の上側に一体的に形成された蓋下部１２より幅広な蓋上部１３と、を備え、蓋下部１２および蓋上部１３の長手方向の左右側面のうち少なくとも一方の側面に一部を縦方向に切り欠いた水導入空部１４を形成したことを特徴とする側溝用蓋。【選択図】図１
2011231562.tif 000002
【特許請求の範囲】
【請求項１】
一端から他端に貫通した排水流路と、該排水流路の上側に連通してその全長に亘って外部に対して開口した開口部と、を備え、該開口部は前記排水流路の幅よりも幅狭であって、排水流路に連通する第１開口部と、該第１開口部に上側で連通して第１開口部より幅広な第２開口部と、から構成され、該第２開口部と前記第１開口部との境界に支持段部を形成したコンクリート製側溝の前記支持段部上に載置するコンクリート製の側溝用蓋であって、
前記第１開口部に嵌合可能な蓋下部と、該蓋下部の上側に一体的に形成された蓋下部より幅広な蓋上部と、を備え、
前記蓋下部および蓋上部の長手方向の左右側面のうち少なくとも一方の側面に一部を縦方向に切り欠いた水導入空部を形成し、
前記支持段部上面に蓋上部の下面を当接した状態で、前記蓋下部が前記第１開口部に嵌合すると共に、前記蓋上部が前記第２開口部に嵌合し、前記水導入空部によって外部の雨水を排水流路に導入可能としたことを特徴とする側溝用蓋。
【請求項２】
前記側溝の幅方向断面において前記水導入空部の断面積が前記蓋上部の上面から前記蓋下部の下面へ向けて安定化するように、前記水導入空部を支持段部の断面形状に対応して屈曲乃至傾斜させて形成したことを特徴とする請求項１に記載の側溝用蓋。
【請求項３】
長手方向の両側端部のうち、少なくとも一方の端部の端面を曲面で構成し、設置状態で隣り合う端面との間に空隙が形成されるようにしたことを特徴とする請求項１または請求項２に記載の側溝用蓋。
【請求項４】
強化繊維を混入したコンクリートで成型したことを特徴とする請求項１から請求項３のいずれかに記載の側溝用蓋。
【発明の詳細な説明】
【技術分野】
【０００１】
本発明は、道路の側方に埋設される側溝の上部開口部に収納載置する側溝用蓋に関するものである。
【背景技術】
【０００２】
従来、道路や駐車場等に敷設された側溝１には、図８に示すように、排水流路２の幅よりも上面開口部３の幅を狭くした構造のものがあり、この開口部３内に金属製のグレーチング９を収納載置するものがある。この側溝１は、雨水が流れる排水流路２の上側で連通する第１開口部４と、該第１開口部４に上側で連通し第１開口部４の開口幅より幅広に形成した第２開口部５と、これら第１開口部４と第２開口部５の境界に形成した支持段部６とが、側溝１の長手方向に連続的に構成されたコンクリート製の側溝１である。そして、この支持段部６に、雨水流入穴８を上面に開設した断面下向きコ字状のグレーチング９を載置するようになっている（例えば、特許文献１参照）。
【先行技術文献】
【特許文献】
【０００３】
【特許文献１】特開平９−２７３２０７号公報
【発明の概要】
【発明が解決しようとする課題】
【０００４】
ところで、このような金属製のグレーチングは、長年風雨に晒されても、錆びて強度が不十分となることを回避するために、高価なステンレス板を使用している。そして、ステンレス材を加工したグレーチングは、防錆特性に秀でる反面、切断、屈曲、溶接等の加工が鉄板よりも難しく、また、高価であるが故に盗難のおそれがあった。また、雨水に濡れると滑りやすく、歩行者は転倒しないように注意する必要があった。
【０００５】
本発明は、このような事情に鑑みてなされたものであり、その目的は、長年風雨に晒されても錆びる心配がなく、しかも、簡単に作成することができ、高い強度の側溝用蓋を提供することにある。
【課題を解決するための手段】
【０００６】
本発明は、上記目的を達成するために提案されたものであり、請求項１に記載のものは、一端から他端に貫通した排水流路と、該排水流路の上側に連通してその全長に亘って外部に対して開口した開口部と、を備え、該開口部は前記排水流路の幅よりも幅狭であって、排水流路に連通する第１開口部と、該第１開口部に上側で連通して第１開口部より幅広な第２開口部と、から構成され、該第２開口部と前記第１開口部との境界に支持段部を形成したコンクリート製側溝の前記支持段部上に載置するコンクリート製の側溝用蓋であって、
前記第１開口部に嵌合可能な蓋下部と、該蓋下部の上側に一体的に形成された蓋下部より幅広な蓋上部と、を備え、
前記蓋下部および蓋上部の長手方向の左右側面のうち少なくとも一方の側面に一部を縦方向に切り欠いた水導入空部を形成し、
前記支持段部上面に蓋上部の下面を当接した状態で、前記蓋下部が前記第１開口部に嵌合すると共に、前記蓋上部が前記第２開口部に嵌合し、前記水導入空部によって外部の雨水を排水流路に導入可能としたことを特徴とする側溝用蓋である。
【０００７】
請求項２に記載のものは、前記側溝の幅方向断面において前記水導入空部の断面積が前記蓋上部の上面から前記蓋下部の下面へ向けて安定化するように、前記水導入空部を支持段部の断面形状に対応して屈曲乃至傾斜させて形成したことを特徴とする請求項１に記載の側溝用蓋である。
【０００８】
請求項３に記載のものは、長手方向の両側端部のうち、少なくとも一方の端部の端面を曲面で構成し、設置状態で隣り合う端面との間に空隙が形成されるようにしたことを特徴とする請求項１または請求項２に記載の側溝用蓋である。
【０００９】
請求項４に記載のものは、強化繊維を混入したコンクリートで成型したことを特徴とする請求項１から請求項３のいずれかに記載の側溝用蓋である。
【発明の効果】
【００１０】
本発明によれば、以下のような優れた効果を奏する。
本発明の側溝用蓋は、一端から他端に貫通した排水流路と、該排水流路の上側に連通してその全長に亘って外部に対して開口した開口部と、を備え、該開口部は排水流路の幅よりも幅狭であって、排水流路に連通する第１開口部と、該第１開口部に上側で連通して第１開口部より幅広な第２開口部と、から構成され、該第２開口部と前記第１開口部との境界に支持段部を形成したコンクリート製側溝の支持段部上に載置するコンクリート製の側溝用蓋であって、第１開口部に嵌合可能な蓋下部と、該蓋下部の上側に一体的に形成された蓋下部より幅広な蓋上部と、を備え、蓋下部および蓋上部の長手方向の左右側面のうち少なくとも一方の側面に一部を縦方向に切り欠いた水導入空部を形成し、支持段部上面に蓋上部の下面を当接した状態で、蓋下部が第１開口部に嵌合すると共に、蓋上部が第２開口部に嵌合し、水導入空部によって外部の雨水を排水流路に導入可能としたので、路面の排水を可能とする流路を形成すると共に、側溝用蓋の厚さを厚くすることができ、強度を高めることができる。また、側溝用蓋をコンクリート製としたので、グレーチングと比べて、簡単に成型することができ、風雨に晒されても錆びることが無く、強度の劣化を防止することができる。さらに、蓋下部を第１開口部に嵌合すると共に、蓋上部を第２開口部に嵌合して側溝用蓋を側溝に装着するようにしたので、側溝用蓋が側溝の幅方向にずれることを防止できる。
【００１１】
請求項２に記載の発明によれば、側溝の幅方向断面において水導入空部の断面積が蓋上部の上面から蓋下部の下面へ向けて安定化するように、水導入空部を支持段部の断面形状に対応して屈曲乃至傾斜させて形成したので、外部からの雨水を排水流路に導く十分な幅の流路を確保することができ、雨水が増大したとしても路面に溜まることなく、スムーズな排水が可能となる。
【００１２】
請求項３に記載の発明によれば、側溝用蓋であって、長手方向の両側端部のうち、少なくとも一方の端部の端面を曲面で構成し、設置状態で隣り合う端面との間に空隙が形成されるようにしたので、隣り合う側溝用蓋との間に流路を形成でき、より大量の雨水を排水することができる。
【００１３】
請求項４に記載の発明によれば、側溝用蓋は、強化繊維を混入したコンクリートで成型したので、さらに強度を高めることができる。
【図面の簡単な説明】
【００１４】
【図１】第１の実施形態における側溝用蓋を側溝から分離した状態の斜視図である。
【図２】第１の実施形態における側溝用蓋を側溝に装着した状態の平面図である。
【図３】第１の実施形態の（ａ）図２におけるＡ−Ａ線断面図、（ｂ）図２におけるＢ−Ｂ線断面図である。
【図４】第２の実施形態における側溝用蓋を側溝から分離した状態の斜視図である。
【図５】第２の実施形態における側溝用蓋を側溝に装着した状態の平面図である。
【図６】第２の実施形態の（ａ）図５におけるＣ−Ｃ線断面図、（ｂ）図５におけるＤ−Ｄ線断面図である。
【図７】第３の実施形態における側溝用蓋を側溝に隣接して２つ装着した状態の平面図である。
【図８】従来の実施形態におけるグレーチングを側溝に装着した状態の断面図である。
【発明を実施するための形態】
【００１５】
以下、本発明を実施するための形態を、図面に基づいて説明する。
図１は側溝用蓋１１を側溝１から分離した状態の斜視図、図２は側溝用蓋１１を側溝１に装着した状態の平面図、図３（ａ）は図２におけるＡ−Ａ線断面図、図３（ｂ）は図２におけるＢ−Ｂ線断面図である。
【００１６】
側溝１は、コンクリート製の長尺な直方体状のブロック（例えば、長さ約２０００ｍｍ）であり、内部には長手方向に沿って一端から他端に貫通した排水流路２が形成され、この排水流路２の上側には、その全長に亘って外部に対して開口した開口部３を備えている。排水流路２は、図１、３に示すように、側溝１断面において、水量が少ないときは滑らかに雨水を流せるように下部を円形状に形成し、水量が多いときは大量の雨水を流せるように上部を略角形状に形成している。また、開口部３は、排水流路２の幅よりも幅狭であって、排水流路２に連通する第１開口部４と、該第１開口部４に上側で連通して第１開口部４より幅広な第２開口部５と、から構成されている。詳しくは、第１開口部４は排水流路２の上部の幅よりも幅狭であって、鉛直方向に一定の幅で開口しており、第２開口部５は第１開口部４の幅よりも幅広であって、同じく鉛直方向に一定の幅で開口している。そして、第１開口部４と第２開口部５は、それぞれの開口中心が同じとなるように連通している。ここで、開口部３内において、第１開口部４と第２開口部５との境界に、支持段部６が設けられている。この支持段部６は、側溝用蓋１１やグレーチング９等を載置するための水平な面であり、第１開口部４の上面（上側開口の縁）により構成されている。なお、側溝１の長手方向の両側端面には、排水流路２の開口の外側を囲うように断面Ｕ字状のゴム等からなる弾性部７が、端面から突出して形成されている。この弾性部７は、隣接して接続する側溝１間のシール及び接続代となる部分であり、側溝１を隣接して敷設すれば、隣接する弾性部７同士が密着して接続される。この時、接続箇所の周りに僅かな間隙が生じるが、コンクリート等の接合剤を流し込むことで、側溝１同士を隙間無く強固に接続することができる。
【００１７】
次に前記した側溝１の開口部３に嵌める側溝用蓋１１について説明する。
側溝用蓋１１は、側溝１の半分の長さで形成された長尺なコンクリート製の蓋であり、断面下向き凸状に形成され、長手方向の側面にその一部を縦方向に切り欠いた水導入空部１４を形成している。詳しくは、側溝用蓋１１は、第１開口部４に嵌合可能な蓋下部１２と、該蓋下部１２の上側に一体的に形成され蓋下部１２より幅広な蓋上部１３とを備えており、蓋下部１２および蓋上部１３の長手方向の左右側面のうち少なくとも一方の側面に一部を切り欠いた水導入空部１４を形成している。より詳しくは、蓋下部１２における水導入空部１４以外の箇所は、第１開口部４に嵌合可能な幅であり、第１開口部４の幅より僅かに小さい幅（例えば、約５０ｍｍ）に形成され、かつ、第１開口部４の深さと略同じ厚さ（例えば、約５０ｍｍ）に形成されている。さらに、蓋上部１３における水導入空部１４以外の箇所は、第２開口部５に嵌合可能な幅であり、第２開口部５の幅より僅かに小さい幅（例えば、約８０ｍｍ）に形成され、かつ、第２開口部５の深さと略同じ厚さ（例えば、約５０ｍｍ）に形成されている。このため、支持段部６の上面に、左右に張り出した蓋上部１３の下面を当接した状態にすれば、蓋下部１２が第１開口部４に嵌合すると共に、蓋上部１３が第２開口部５に嵌合することで、側溝用蓋１１が側溝１（開口部３）内に収納（設置）される。このとき、側溝用蓋１１（蓋上部１３）の上面が側溝１の上面と略面一となり、側溝用蓋１１（蓋下部１２）の下面が排水流路２の上面と略面一となる。そして、側溝１の上部には、水導入空部１４により流路が形成されることになり、この流路によって外部の雨水を排水流路２に導くことができる。
【００１８】
次に、水導入空部１４について詳述する。本発明における水導入空部１４は、上記のように、蓋下部１２および蓋上部１３の長手方向の左右側面のうち少なくとも一方の側面に一部を切り欠いた形状で形成され、側溝１の幅方向断面において水導入空部１４の断面積が蓋上部１３の上面から蓋下部１２の下面へ向けて安定化（「安定化」とは「減少することを回避する」の意味である。）するように、水導入空部１４を支持段部６の断面形状に対応して屈曲させて形成している。そして、図３に示すように、側溝用蓋１１を設置した状態で側溝１の幅方向断面において、水導入空部１４が、上側開口幅と同じ幅で、側溝１の上面から第２開口部５の側面に沿って鉛直下方向に延び、支持段部６の断面形状に対応して上面に沿って幅方向中央側に屈曲し、さらに支持段部６の突出端部から第１開口部４の側面に沿って鉛直下方向に延びて下側に開口するような流路を形成している。換言すると、側溝用蓋１１の水導入空部１４における側面が、開口部３の内面（第１開口部４側面、支持段部６上面、および第２開口部５側面からなる一連の面）から一定距離だけ離れた段状（クランク形状）に形成されている。このような水導入空部１４を形成することによって、流路となる空部断面が途中で絞られないので、外部からの雨水を排水流路２に導く十分な幅の流路を確保することができ、雨水が増大したとしても側溝１の上面（路面）に溜まることなく、スムーズな排水が可能となる。なお、本実施形態では、水導入空部１４は、側溝用蓋１１の一側（図１中右側）に２つ設けており、側溝１に側溝用蓋１１を設置した状態において、各水導入空部１４の上側開口が、側溝用蓋１１の長手方向の長さに対し１／３程度の長さ（例えば約３００ｍｍ）、かつ蓋上部１３の幅に対し１／４程度の幅（例えば約２０ｍｍ）となるように形成されている。
【００１９】
そして、この側溝用蓋１１は、コンクリート成型により作成することができる。つまり、所定の形の型枠にコンクリートを流し込み、そのままの状態で所定時間養生した後、型枠から取り出すことで、成型することができる。このため、金属製のグレーチング９のように剛性のある金属を切断、屈曲、溶接等の加工をすることが不要になり、グレーチング９と比べて簡単かつ安価に側溝用蓋１１を成型することができる。また、コンクリートで形成されているため、濡れても滑り難いし、風雨に晒されても錆びることが無く、強度の劣化を防止することができる。さらに、コンクリート成型時に、補強芯材を埋設する他に、ポリプロピレン系、ガラス系、炭素系等の強化繊維を混入したコンクリートを用いることもできる。このように強化繊維を混入したコンクリートで側溝用蓋１１を成型すれば、引っ張り強度が向上してさらに強度を高めることができ、隅角部の破損防止にも寄与する。
【００２０】
このように形成された側溝用蓋１１を路面に設置するには、路面等に側溝１を一連に埋設し、これらの側溝１（支持段部６の上面）に側溝用蓋１１を順次載置するだけでよい。また、従来の金属製グレーチング９が取り付けられ側溝１に対して、本発明に係る側溝用蓋１１に置き換えることもできる。具体的には、路面等に埋設された上記の側溝１に金属製のグレーチング９がすでに取り付けられている場合、金属製のグレーチング９を取り外して、本実施形態の側溝用蓋１１を側溝１に載置する。このとき、蓋下部１２が第１開口部４に嵌合すると共に、蓋上部１３が第２開口部５に嵌合するので、側溝用蓋１１が側溝１の幅方向にずれることを防止できる。さらに、側溝用蓋１１は、水導入空部１４によって路面の排水を可能とする流路を形成すると共に、蓋上部１３および蓋下部１２によって構成したので、路面より上部に突出することなく、側溝用蓋１１の厚さを厚くすることができ、強度を高めることができる。なお、側溝用蓋１１は、側溝１に載置する際に、水導入空部１４が路面の水勾配の下り傾斜側（歩道側）になるように載置することが望ましい。このようにすれば、より路面の端側で雨水を集めることができ、より多くの雨水を排水流路２に導くことができる。
【００２１】
また、水導入空部１４の形状は、上記実施形態に限られない。図４〜６に示す、第２の実施形態の側溝用蓋１１では、側溝１に装着した状態で、側溝１の幅方向断面において水導入空部１４の断面積が蓋上部１３の上面から蓋下部１２の下面へ向けて安定化するように、水導入空部１４を支持段部６の断面形状に対応して傾斜させて形成している。詳しくは、水導入空部１４における側溝用蓋１１側の側面が、内側（側溝用蓋１１の中心側）へ向けて下り傾斜する急峻な斜面で形成されている。ここで、水導入空部１４の支持段部６に対向する流路の幅が、支持段部６の突出形状部分で絞られることなく雨水が流れるのに十分な幅となるように、上側開口幅を支持段部６の上面の幅より、幅広に形成するのが望ましい。（例えば、支持段部６の上面の幅が約１５ｍｍとした場合、水導入空部１４の上側開口幅を約２０ｍｍとする。）このように水導入空部１４を形成することで、支持段部６における流路の幅を十分に確保することができる。このため、上記第１の実施形態と同様に、外部からの雨水を排水流路２に導く十分な幅の流路を確保することができ、雨水が増大したとしても側溝１上面（路面）に溜まることなく、スムーズな排水が可能となる。なお、その他の構成については、上記第１の実施形態と同様であるため、その説明を省略する。
【００２２】
さらに、前記した側面の水導入空部１４以外でも外部からの雨水を排水流路２に導入可能な流路を構成することもできる。例えば、図７に示す、第３の実施形態の側溝用蓋１１では、長手方向の両側端部の端面を円弧状に面取り（端部に近づくにつれて幅狭となる先細り形状に形成）している。この円弧は、曲率Ｒを一定とした曲面で形成されている。図７に示すように、この側溝用蓋１１を２つ隣り合わせて、お互いの端面が対向するように側溝１に装着すれば、隣り合う円弧端面との間に、外部から排水流路２に向けて貫通する空隙１５が形成される。そして、この空隙１５が外部からの雨水を排水流路２に導入するための流路として機能する。このように、対向する側溝用蓋１１の端面間でも流路を形成することができるので、より大量の雨水を排水することができる。なお、本実施形態では、平面視において、側溝用蓋１１は両端部を円弧状に面取りしたが、どちらか一方の端部が円弧状に面取りされていればよい。例えば、側溝用蓋１１の接続箇所において、一方の側溝用蓋１１端部が面取りされていなくても、他方の側溝用蓋１１端部が面取りされていれば、接続箇所には隙間が生じることになり、流路を形成することができる。また、端面の形状は円弧に限らず、サインカーブ（波型形状）等の曲面で構成してもよい。要は、側溝用蓋１１の長手方向の両側端部のうち、少なくとも一方の端部の端面を曲面等で形成することで、設置状態で隣り合う側溝用蓋１１の端面との間に空隙１５を形成すればよく、この空隙１５により流路を形成することができるので、より大量の雨水を排水することができる。なお、その他の構成については、上記第１の実施形態と同様であるため、その説明を省略する。
【００２３】
なお、本発明の側溝用蓋１１を載置する側溝は、上記形態に限らない。例えば、円形や角形の排水流路を備えた側溝でもよいし、側溝に縁石が一体化したものでもよい。また、開口部の開口幅、深さ、形状は任意であり、側溝用蓋が載置可能な支持段部を備えたものであればどのような形状でもよく、このとき、側溝用蓋が開口部内に収納（嵌合）可能になるように、蓋下部および蓋上部の形状を開口部の内面形状に沿うような形状にすればよい。さらに、上記実施形態では、側溝用蓋の長さに対し１／３程度の長さの水導入空部を側溝用蓋の一側に２つ設けていたが、これに限らず、水導入空部の長さや形成する数は任意であり、側溝用蓋の両側に設けてもよい。
【符号の説明】
【００２４】
１  側溝
２  排水流路
３  開口部
４  第１開口部
５  第２開口部
６  支持段部
７  弾性部
８  雨水流入穴
９  グレーチング
１１  側溝用蓋
１２  蓋下部
１３  蓋上部
１４  水導入空部
１５  空隙
【図１】
2011231562.tif 000003
【図２】
2011231562.tif 000004
【図３】
2011231562.tif 000005
【図４】
2011231562.tif 000006
【図５】
2011231562.tif 000007
【図６】
2011231562.tif 000008
【図７】
2011231562.tif 000009
【図８】
2011231562.tif 000010